(57)【特許請求の範囲】
【請求項１】
それぞれ扉を有する宅配物収納用の多数の収納室と、電子的な鍵手段により前記各収納室の施錠、解錠がなされる錠部とを備える宅配物集合保管装置と、前記宅配物集合保管装置を管理するために前記宅配物集合保管装置に対して遠隔配置された管理装置とを備え、
前記宅配物集合保管装置は、
所定の収納室を解錠するための現地側非常解錠用信号を記憶する現地側記憶手段と、
所定の収納室の非常解錠を実現するために外部から入力された入力信号が前記現地側非常解錠信号に対応するかどうかを判定する判定手段と、
前記入力信号が前記現地側非常解錠信号に対応する場合に前記現地側非常解錠信号に対応する前記収納室を解錠する非常解錠手段と、
前記非常解錠手段による前記非常解錠の実施後、前記現地側非常解錠信号を、予め記憶する所定の変更規則に基づいて変更する現地側非常解錠信号変更手段とを備え、
前記管理装置は、
前記現地側非常解錠信号に一致する管理側非常解錠用信号を記憶する管理側記憶手段と、
外部からの前記管理側非常解錠信号の出力指令により前記管理側非常解錠信号を表示する表示手段と、
前記表示手段による前記表示の実施後、前記管理側記憶手段が記憶する前記管理側非常解錠信号を、予め記憶する前記変更規則と同じ変更規則に基づいて変更する管理側非常解錠信号変更手段とを備えることを特徴とする宅配物集合保管システム。
【請求項２】
請求項１記載の宅配物集合保管システムにおいて、
前記両記憶手段は、前記両非常解錠信号の全てをそれぞれの連続する番地に所定順序で記憶し、
前記両変更手段は、前記番地を所定の順序で巡回することを特徴とする宅配物集合保管システム。
【請求項３】
請求項２記載の宅配物集合保管システムにおいて、
前記両変更手段は、所定の初期化信号の入力により、所定の変更位置へジャンプすることを特徴とする宅配物集合保管システム。
【請求項４】
請求項１ないし３のいずれかに記載の宅配物集合保管システムにおいて、
複数の前記宅配物集合保管システムを有し、前記管理装置は各前記宅配物集合保管装置に対して異なる前記管理側非常解錠信号を運用することを特徴とする宅配物集合保管システム。
【請求項５】
請求項１ないし４のいずれかに記載の宅配物集合保管システムにおいて、
前記宅配物集合保管装置は、前記入力信号を入力するための入力キ−配列盤を有することを特徴とする宅配物集合保管システム。
【発明の詳細な説明】
【０００１】
【発明の属する技術分野】
本発明は、宅配物集合保管システムに関する。
【０００２】
【従来の技術】
宅配物などを一時保管するために集合住宅のエントランス近傍の共用空間などに設置される宅配ボックス（本発明でいう宅配物集合保管装置）が実用され始めている。この宅配ボックスは、前面開口を開閉する扉を有して宅配物を収納する複数の収納室をもち、各収納室はオ−ナ−が有する個別キ−手段や、指定業者が有する共通キ−手段などにより施錠、解錠される。
【０００３】
この宅配ボックスによれば、各収納室のオ−ナ−は自己の収納室を専用の物品保管空間として利用できるとともに、指定業者は各種宅配物を指定された収納室に分配収納したり取り出したりすることができるので、便利である。
各マンションやビルごとに多数設置されるこれら宅配物集合保管装置の運営（その故障対応や点検など）のために管理センタ−が所定地点に設置されるのが通常である。
【０００４】
上述した多数の宅配物集合保管装置の一括管理において、一番の問題となるのは、各収納室のオ−ナ−からの緊急解錠の要請である。すなわち、オ−ナ−はしばしば、自己のキ−（解錠）手段を紛失したり、置き忘れたりすることが多い。
このような忘失が生じると、オ−ナ−は宅配物集合保管装置に貼付された管理センタ−に電話を掛けて自己の収納室の非常解錠を依頼してくることになり、管理センタ−側は、係員を至急、現地に急行させて非常解錠キ−によりその収納室を解錠していた。
【０００５】
【発明が解決しようとする課題】
しかしながら、上記した係員派遣による非常解錠は、交通渋滞などの事情により解錠までの時間が長く、かつ、費用が大きいという悩みがあった。
この問題を解決するために、各収納室の錠部を管理センタ−から遠隔制御して解錠することも可能であるが、この場合には管理センタ−と多数の各宅配物集合保管装置とをそれぞれオンライン接続しなければならず、たとえば数百台を超えるような規模ともなると設備費用および維持費用が莫大となるという問題があった。更に説明すると、そもそもこのような非常解錠通信の発生頻度自体は小さいので、それにこのように大きな費用を掛けることは実用上、受け入れられることが困難であった。
【０００６】
電話で確認したオ−ナ−に彼の収納室の非常解錠用暗号を直接教示することも考えられる。しかし、この場合、この非常解錠用暗号の秘匿性が失われ、第三者などが鍵手段を用いずにその収納室を解錠する可能性が発生する。
本発明は上記問題点に鑑みなされたものであり、簡素かつ安全性に優れた構成により宅配物集合保管装置の任意の収納室の非常解錠が可能な宅配物集合保管システムを提供することをその目的としている。
【０００７】
【課題を解決するための手段】
請求項１に記載した本発明の宅配物集合保管装置の構成によれば、宅配物集合保管装置は、
各収納室を解錠するための現地側非常解錠用信号を記憶し、
外部から入力された入力信号が現地側非常解錠信号に対応するかどうかを判定し、
この入力信号が現地側非常解錠信号に対応する場合に現地側非常解錠信号に対応する収納室を解錠し、
また、この非常解錠の実施後、使用済みの現地側非常解錠信号を所定の変更規則に基づいて変更する。
【０００８】
一方、管理装置は、
現地側非常解錠信号に一致する管理側非常解錠用信号を記憶し、  外部からの指令により管理側非常解錠信号を表示し、
この表示実施後、表示済みの管理側非常解錠信号を、上記変更規則に基づいて変更する。
【０００９】
このようにすれば、オンライン接続システムを用いることなくオフラインで遠隔オフラインによる非常解錠を実現できると共に、信号非常解錠信号がなんらかの原因で漏洩して収納室の解錠に用いられるという事故を防止することができる。
請求項２記載の構成によれば、請求項１記載の宅配物集合保管システムにおいて更に、両非常解錠信号の全てをそれぞれのメモリの連続する番地に所定の順序で記憶し、非常解錠信号の使用後、これらの番地を所定の順序で巡回して次の非常解錠信号を発生する。
【００１０】
このようにすれば、簡素な構成で、両非常解錠信号の自動同期変更が可能となる。
請求項３記載の構成によれば、請求項２記載の宅配物集合保管システムにおいて更に、両非常解錠信号を所定の初期化信号の入力により、所定のものに変更するので、なんらかの誤動作による両非常解錠信号の発生ずれを修正することができる。
【００１１】
請求項４記載の構成によれば、請求項１ないし３のいずれかに記載の宅配物集合保管システムにおいて更に、複数の宅配物集合保管装置に対して異なる管理側非常解錠信号を用いる。このようにすれば、安全性を高めることができる。
請求項５記載の構成によれば、請求項１ないし４のいずれかに記載の宅配物集合保管システムにおいて更に、入力信号を入力するための入力キ−配列盤を設ける。
【００１２】
このようにすれば、オ−ナ−による非常解錠信号の入力を容易に行うことができる。
【００１３】
【発明を実施するための態様】
錠部には、各種の電子錠を採用することができ、少なくとも非常解錠信号をなす非常解錠用暗号を入力するための手段からの非常解錠用暗号の入力により解錠される。
この電子錠の鍵手段としては、鍵の解錠資格を保証する識別信号やそれと対応する任意の暗証番号を電子的に識別番号を記憶して宅配物集合保管装置側の上記錠部にそれを送信可能な記憶媒体で構成でき、ＩＣカ−ド、磁気カ−ドなどの鍵カ−ドの他、宅配物集合保管装置の前面に配設された入力キ−配列盤によっても構成することができる。また上記鍵カ−ドと入力キ−配列盤との両方を備えることもでき、この場合には鍵カ−ドを忘れても入力キ−配列盤からの入力により解錠できる。上記電子錠は各収納室ごとに個別に設けることも可能であるが、それらを共通化させることは装置構成の簡素化の点で好ましい。上記入力キ−配列盤は、上記非常解錠用暗号の入力手段として好適である。
【００１４】
本発明の宅配物集合保管装置の好適な態様を以下の実施例を参照して説明する。
【００１５】
【実施例】
（宅配物集合保管装置の構成の説明）
実施例１を図１〜図７を参照して以下に説明する。
この実施例の宅配物集合保管装置１の正面図を図１に示し、そのブロック回路図を図２に示す。
【００１６】
この宅配物集合保管装置１は、縦６段、横８段に行列状に配置された各収納室２をもち、各収納室２の向かって左側に共通部３をもつ。
共通部３の内部には、マイコン装置からなる共通コントロ−ラ４が内蔵され、共通部３の前面パネルにはカ−ド読み取り部５と、入力キ−配列盤６とが設置されている。７はカ−ド読み取り部５と共通コントロ−ラ４とを接続する信号線であり、８は入力キ−配列盤６と共通コントロ−ラ４とを接続する信号線であり、１０は共通コントロ−ラ４および各収納室２を接続するバスであり、１０は、各メンバ−がもつＩＣカ−ドである。
【００１７】
図３に、一つの収納室２の拡大正面図を示し、そのブロック回路図を図４に示す。
扉２０には開扉用の取っ手２１と宅配物在中表示ランプ２２とが設けられている。２３は扉２０の内部に埋設された電子錠（電子ロック）部であり、２４は収納室２の内奥に設けられたマイコン構成の収納室コントロ−ラである。収納室コントロ−ラ２４はバス９を通じて共通コントロ−ラ４と通信するとともに、信号線２５を通じて電子錠部２３と通信し、信号線２６を通じて宅配物在中表示ランプ２２を駆動制御する。
【００１８】
図５に、入力キ−配列盤６の正面図を示す。
入力キ−配列盤６はほぼ電卓と同じ構成をもち、１〜０の合計１０個の数値入力キ−６１と、ＯＫキ−６２と、入力結果を表示する発光表示パネル６３とからなり、内蔵のマイコンにより、数値または指令入力結果が発光表示パネル６３に表示される。
【００１９】
カ−ド読み取り部５および電子錠部２３については周知であり、かつ、本実施例の要旨ではないのでその説明を省略する。
（共通コントロ−ラ４の動作説明）
共通コントロ−ラ４の制御動作を図６に示すフロ−チャ−トを参照して詳細に説明する。
【００２０】
まず、なんらかのＩＣカ−ド１０が差し込まれたかどうかを調べ（Ｓ１００）、差し込まれたことを認識した場合には差し込まれたＩＣカ−ド１０の識別信号を解読し（Ｓ１０２）、次に入力キ−配列盤６からのキ−入力を読み込む（Ｓ１０４）。
キ−入力がなければ、読み取ったＩＣカ−ド１０が個人カ−ドか業者カ−ドかをその識別信号に基づいて判別し（Ｓ１０６）、個人カ−ドであれば、該当する収納室２の解錠をただちに指令し（Ｓ１０８）、そうでなければ、すなわち業者キ−であれば、キ−入力による収納室２の番号の指定が完了するまで所定時間だけ待ち（Ｓ１１０）、この待機時間内に収納室２の番号指定が完了しない場合には、「収納室の番号の指定がなされないのでもう一度カ−ドを差し込んで下さい」との警告を発して（Ｓ１１２）、Ｓ１００へ戻る。
【００２１】
一方、ｓ１０２にて業者キ−を識別し、かつ、上記待機時間内にｓ１０４にて入力キ−配列盤６からの収納室の番号の入力がなされれば、該当する収納室２の解錠を指令し（Ｓ１０８）、その後、業者による宅配物在中収納信号の有無を調べる（Ｓ１１４）。
この実施例における上記宅配物在中収納信号の入力方式を以下に説明する。
【００２２】
業者は、業者カ−ドを差し込んだ後、入力キ−配列盤６で該当する収納室２の番号を数値キ−６１で入力し、その直後にＯＫキ−を２回続けて押す（ダブルクリック）する。これが業者が宅配物を収納室２に入れたという上記宅配物在中収納信号になる。
なお、個人がカ−ドを用いずに入力キ−配列盤６のキ−入力により解錠する場合には、まず自己の識別番号（暗証番号）を入力し、その後、ＯＫキ−を押し、続いて自己の収納室２の番号を押し、ＯＫキ−を押す。これにより、共通コントロ−ラ４は順次入力された識別番号（暗証番号）と収納室の番号とを比較し、一致していれば、該当収納室の解錠を指令する。
【００２３】
次に、ｓ１１６へ進んで上記宅配物在中信号が出力されているかどうかを調べ、出力されていなければｓ１１８へジャンプし、出力されていれば宅配物在中表示ランプ２２の点灯を指令して（Ｓ１１６）、その後、該当する収納室２が開扉されたかどうかを調べ（Ｓ１１８）、開扉されたなら、開扉したのがオ−ナ−かどうかを差し込まれたカ−ドの種類により判別し（Ｓ１２０）、オ−ナ−により開扉されたのであれば、上記宅配物収納信号の出力を解除し（Ｓ１２０）、上記解錠指令も解除して（Ｓ１２２）、Ｓ１００へ戻る。  なお、収納室コントロ−ラ２４は一定間隔で開扉状態か閉鎖状態かを共通コントロ−ラ４に出力するものとする。
【００２４】
一方、ｓ１１８において、まだ該当する収納室２すなわち開扉されるべき収納室２が開扉されない場合には所定時間待機し（Ｓ１２４）、それでも開扉されない場合には上記解錠指令を解除して再び施錠させて（Ｓ１２２）、Ｓ１００へリタ−ンする。
（収納室コントロ−ラ２４の動作説明）
次に、収納室コントロ−ラ２４の制御動作を図７に示すフロ−チャ−トを参照して詳細に説明する。
【００２５】
まず、扉が閉じられていることを検出する（Ｓ２００）場合だけ施錠を指令し（Ｓ２０２）、次に共通コントロ−ラ４から解錠指令が入力されたかどうかを調べ（Ｓ２０４）、入力されている場合にだけ解錠を指令する（Ｓ２０６）。
次に、共通コントロ−ラ４からの上記宅配物収納信号の入力があるかどうかを調べ（Ｓ２０８）、ある場合にだけ宅配物在中表示ランプ２２を点灯し（Ｓ２１０）、そうでなければ、それを消灯して（Ｓ２１４）、Ｓ２００へリタ−ンする。
【００２６】
宅配物在中表示ランプ２２は、発光ダイオ−ドで構成されている。また、収納室コントロ−ラ２４は本発明で言う発光制御部をなし、入力キ−配列盤６は本発明で言う宅配物収納状態入力部をなし、ＩＣカ−ド１０は本発明で言う鍵手段をなし、電子錠部２３は本発明で言う錠部をなす。
なお、業者は宅配物を収納室２へ入れる場合には上記ダブルクリックを行うが、逆に宅配物を収納室２から取り出す場合（たとえばクリ−ニング業者が洗濯物を取り出す場合など）は、上記ダブルクリックの代わりに一回だけのＯＫキ−６２のプッシュ（クリック）を行う。
【００２７】
これにより、業者が物を取り出す場合と、入れる場合とを区別することができる。
（管理センタ−の構成の説明）
次に、上記説明した宅配物集合保管装置を多数の管理する管理センタ−（管理装置）１１の構成について、図８を参照して以下に説明する。
【００２８】
この管理センタ−１１は、パ−ソナルコンピュ−タからなり、そのＣＰＵ１１１、メモリ１１２、Ｉ／Ｏ１１３はバス１１４で接続されている。Ｉ／Ｏ１１３には、キ−ボ−ド１１４と、ディスプレイ１１５とが接続されている。
メモリは、各宅配物集合保管装置の各収納室ごとにそれぞれ所定数（ここでは１６個）の非常解錠用番号（非常解錠用信号）を記憶している。
【００２９】
この非常解錠信号は、Ａ−Ｂ−Ｃという表示形式をもち、Ａは建物番号を示す４けたの１０進数字からなり、Ｂは収納室番号（ル−ムナンバ−）を一部含む４けたの１０進数字からなり、Ｃは実質的に非常解錠用暗号をなす４けたの１０進数字からなる。
ただ、各室にそれぞれ割り当てられた１６個の非常解錠用暗号Ｃは０から１５の呼び順位を個別にもち、この呼び順位で順次出力される。なお呼び順位１５の次の呼び順位は０に戻るものとする。
（管理センタ−１１の動作説明）
次に、上記説明した管理センタ−（管理装置）１１の動作について、図９のフロ−チャ−トを参照して以下に説明する。
【００３０】
まず、キ−ボ−ド１１４から収納室番号Ｓが入力されると（Ｓ３００）、それにより特定される収納室Ｒｓの現在の呼び出し順位Ｎを予め記憶するマップからサ−チする（Ｓ３０２）。なお、管理センタ−１１は、内部のメモリに各収納室ごとに現在の呼び出し順位Ｎを記憶しているものとする。
次に、特定された上記収納室Ｒｓの現在の呼び順位Ｎの非常解錠用信号Ｓｅを予め記憶するマップからサ−チし、それをディスプレイ１５上に表示し（Ｓ３０４）、この収納室Ｒｓの呼び順位Ｎを１つ進めて（Ｓ３０６）、リセット信号が入力されたかどうかを調べ（Ｓ３０８）、リセット信号が入力された場合には、呼び順位ＮをＮｏ番目に設定し（Ｓ３１０）、Ｓ３００へリタ−ンする。
【００３１】
なお、リセット信号の入力は、キ−ボ−ドからの所定のキ−入力で実行するものとする。
（共通コントローラ４の動作説明）
次に、上記説明した非常解錠用信号による任意の収納室Ｒｓの非常解錠に関する宅配物集合保管装置１、特に共通コントロ−ラ４の動作について、図１０のフロ−チャ−トを参照して以下に説明する。
【００３２】
まず、図６に示す共通コントロ−ラ４の通常の制御動作の後、具体的にはＳ１２２の実施後、入力キ−配列盤６からの上記Ａ−Ｂ−Ｃという合計１２桁の１０進数字からなる入力信号が入力され、続いてＯＫキ−６２が押されたかどうかを調べ（Ｓ４００）、そうである場合にはその上位４桁の１０進数字が自己が設置されている建物の符号（予め記憶している）に一致しているかどうかを調べ、次に、中間４桁の１０進数字に対応する収納室Ｒｓが存在するかどうかを、予め記憶するマップから調べ、存在すれば、下位４桁の１０進数字がこの収納室Ｒｓの現在の順位Ｎの４桁の１０進数字からなる非常解錠用信号に一致するかどうかを調べる（Ｓ４０２）。
【００３３】
なお、共通コントロ−ラ４は、そのメモリに、各収納室Ｒｓごとに管理センタ−のそれと一致するそれぞれ１６個の非常解錠用信号を記憶し、かつ、これら１６個の非常解錠用信号の呼び順位も管理センタ−側と同じ順序で記憶するものとする。
もし一致すれば、錠部２３に一定時間の解錠を指令し（Ｓ４０４）、この解錠指令された収納室Ｒｓの呼び順位Ｎを１だけ進め、リセット信号が入力されたかどうかを調べ（Ｓ４０８）、リセット信号が入力された場合には、呼び順位Ｎを一定のＮｏ番目に設定し（Ｓ４１０）、Ｓ１００へリタ−ンする。
【００３４】
なお、リセット信号の入力は、入力キ−配列盤６からの所定のキ−入力で実行するものとする。
このようにすれば、オフラインにより簡単かつ安全に任意の非常解錠を実現でき、経済上、大幅なメリットが生じる。
【図面の簡単な説明】
【図１】本発明の宅配物集合保管装置の一実施例を示すブロック図である。
【図２】図１に示す宅配物集合保管装置のブロック回路図である。
【図３】図１の収納室２の正面図である。
【図４】図１に示す収納室２のブロック回路図である。
【図５】図１に示す入力キ−配列盤６の正面図である。
【図６】図２に示す共通コントロ−ラ４の制御動作を示すフロ−チャ−トである。
【図７】図４に示す収納室コントロ−ラ４の制御動作を示すフロ−チャ−トである。
【図８】管理センタ−１１のブロック回路図である。
【図９】管理センタ−１１の動作を示すフロ−チャ−トである。
【図１０】共通コントロ−ラ４の非常解錠用の制御動作を示すフロ−チャ−トである。
【符号の説明】
１は宅配物集合保管装置、２は収納室、４は共通コントロ−ラ（宅配物収納状態判別部、履歴記憶部）、６は入力キ−配列盤（宅配物収納状態入力部）、１０はＩＣカ−ド（鍵手段）、１１は管理センタ−（管理装置）、２３は電子錠部（錠部）
【図１】
0003761049.tif 000002
【図２】
0003761049.tif 000003
【図３】
0003761049.tif 000004
【図４】
0003761049.tif 000005
【図５】
0003761049.tif 000006
【図６】
0003761049.tif 000007
【図７】
0003761049.tif 000008
【図８】
0003761049.tif 000009
【図９】
0003761049.tif 000010
【図１０】
0003761049.tif 000011